(57)【要約】【課題】簡単な構造と通常の材料による電極構造を提供し、治療・美容効果が得られやすく、使い勝手のよい微弱電流器具を提供する。【解決手段】  肌に接触させて使用する作用部を有する微弱電流器具であって、前記作用部は、基部と、金属からなり、互いに電位差を有する正電極部及び負電極部の２つの電極部と、前記電極部が載置される導電部と、絶縁材からなる絶縁部と、を含み、前記作用部の肌接触面において、前記絶縁部は、前記導電部上に載置されている前記電極部の縁部を上から覆うと共に、前記電極部の縁部に隣接する前記導電部の隣接部を上から覆っている第１絶縁部を含む微弱電流器具。【選択図】図８
2020039471.tif 000002
【特許請求の範囲】
【請求項１】
肌に接触させて使用する作用部を有する微弱電流器具であって、
前記作用部は、
基部と、
金属からなり、互いに電位差を有する正電極部及び負電極部の２つの電極部と、
前記電極部が載置される導電部と、
絶縁材からなる絶縁部と、を含み、
前記作用部の肌接触面において、前記絶縁部は、前記導電部上に載置されている前記電極部の縁部を上から覆うと共に、前記電極部の縁部に隣接する前記導電部の隣接部を上から覆っている第１絶縁部を含む
ことを特徴とする微弱電流器具。
【請求項２】
請求項１に記載の微弱電流器具であって、
前記正電極部及び前記負電極部の一方が、前記導電部を兼ねており、
前記第１絶縁部は、前記導電部を兼ねている一方の前記電極部上に載置されている他方の前記電極部の縁部を上から覆うと共に、一方の前記電極部の隣接部を上から覆っている
ことを特徴とする微弱電流器具。
【請求項３】
請求項１又は２に記載の微弱電流器具であって、
前記絶縁部は、前記第１絶縁部と、前記第１絶縁部とは異なる第２絶縁部とを含み、
前記第２絶縁部が、前記肌接触面の縁部に位置し、
前記第１絶縁部が、前記肌接触面の縁部以外の位置に位置する
ことを特徴とする微弱電流器具。
【請求項４】
請求項１〜３のいずれか一項に記載の微弱電流器具であって、
前記基部は、略円柱状、紡錘状、円盤状又は球状である
ことを特徴とする微弱電流器具。
【請求項５】
請求項４に記載の微弱電流器具であって、
前記微弱電流器具は、持ち手部を含み、
前記基部は、前記持ち手部に回転可能に接続されている
ことを特徴とする微弱電流器具。
【請求項６】
請求項１〜５のいずれか一項に記載の微弱電流器具であって、
前記導電部上に載置されている前記電極部が、平面視帯状であり、
前記第１絶縁部が、平面視帯状である
ことを特徴とする微弱電流器具。
【請求項７】
請求項１〜５のいずれか一項に記載の微弱電流器具であって、
前記導電部上に載置されている前記電極部が、平面視略正円、楕円、半円、又は多角形の形状を成しており、
前記第１絶縁部が、前記形状に対応した形状である
ことを特徴とする微弱電流器具。
【請求項８】
請求項１〜５のいずれか一項に記載の微弱電流器具であって、
前記導電部上に載置されている前記電極部が、球状であり、
前記基部には、球状の前記電極部を収容するための収容穴が設けられ、
前記第１絶縁部は、平面視円環状である
ことを特徴とする微弱電流器具。
【請求項９】
請求項１〜５のいずれか一項に記載の微弱電流器具であって、
前記正電極部及び前記負電極部の一方又は双方がリブ状であり、
前記第１絶縁部は、リブ形状の間に設置される
ことを特徴とする微弱電流器具。
【請求項１０】
請求項１〜９のいずれか一項に記載の微弱電流器具であって、
前記微弱電流器具は、複数の前記作用部を含む
ことを特徴とする微弱電流器具。
【発明の詳細な説明】
【技術分野】
【０００１】
本発明は、皮膚などに微弱電流を流す微弱電流器具に関する。
【背景技術】
【０００２】
人間の皮膚（肌）に微弱な電流を流し、健康を促進する療法が広く行われている。人体に適切な微弱電流を与えることにより、人間の自然治癒力が高まると言われている。そのことに着目した治療法として、マイクロカレントセラピーが挙げられる。マイクロカレントセラピーは、外部から人工的に微弱電流を流すことにより、傷の修復に必要なＡＴＰ（アデノシン三燐酸）酵素の生成や、たんぱく質の合成を促進するものである。マイクロカレントセラピーは特に外傷の治療に効果があると言われている。
【０００３】
また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒に役立てることも広く行われている。このような微弱電流治療器として、種々の微弱電流発生装置が開発され製品化されている。
【０００４】
特許文献１には、標準単極電位より電位が高い金属電極と、前記標準単極電位より電位が低い半導体電極を電気的に接続し、金属電極と半導体電極を人間の皮膚に当てて微弱電流を流す経皮投薬用素子が記載されている。
【０００５】
特許文献２には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【先行技術文献】
【特許文献】
【０００６】
【特許文献１】特許第２７９７１１８号公報
【特許文献２】特開２００６−３２０７０４号公報
【発明の概要】
【発明が解決しようとする課題】
【０００７】
特許文献１記載の技術は、電極に金属電極と半導体電極とを用いている。半導体電極は限られた材料しか用いることができず、一般的な金属電極に比べれば高価である。
【０００８】
特許文献２の技術は、電位差がある電極を用いるのではなく、圧電体を用いている。圧電体は、圧力がかかることにより起電力を生じるため、特許文献２の微弱電流施療具は、圧力をかける必要がある。微弱電流は長時間定常的に流れることにより、人体内の生体電流を整える効果を生じるため、圧力をかけたときだけ電流が流れる構造では十分な治療効果が得られないことがある。
【０００９】
本発明の目的は、上記の問題を鑑みてなされたものであり、簡単な構造と通常の材料による電極構造を提供し、治療・美容効果が得られやすく、使い勝手のよい微弱電流器具を提供することにある。
【課題を解決するための手段】
【００１０】
上述した少なくとも１つの課題を解決するために、本発明の微弱電流器具は、肌に接触させて使用する作用部を有する微弱電流器具であって、前記作用部は、基部と、金属からなり、互いに電位差を有する正電極部及び負電極部の２つの電極部と、前記電極部が載置される導電部と、絶縁材からなる絶縁部と、を含み、前記作用部の肌接触面において、前記絶縁部は、前記導電部上に載置されている前記電極部の縁部を上から覆うと共に、前記電極部の縁部に隣接する前記導電部の隣接部を上から覆っている第１絶縁部を含む。
【００１１】
また、前記正電極部及び前記負電極部の一方が、前記導電部を兼ねており、前記第１絶縁部は、前記導電部を兼ねている一方の前記電極部上に載置されている他方の前記電極部の縁部を上から覆うと共に、一方の前記電極部の隣接部を上から覆っていてもよい。
【００１２】
また、前記絶縁部は、前記第１絶縁部と、前記第１絶縁部とは異なる第２絶縁部とを含み、前記第２絶縁部が、前記肌接触面の縁部に位置し、前記第１絶縁部が、前記肌接触面の縁部以外の位置に位置してもよい。
【００１３】
また、前記基部は、略円柱状、紡錘状、円盤状又は球状であってもよい。
【００１４】
また、前記微弱電流器具は、持ち手部を含み、前記基部は、前記持ち手部に回転可能に接続されていてもよい。
【００１５】
また、前記導電部上に載置されている前記電極部が、平面視帯状であり、前記第１絶縁部が、平面視帯状であってもよい。
【００１６】
また、前記導電部上に載置されている前記電極部が、平面視略正円、楕円、半円、又は多角形の形状を成しており、前記第１絶縁部が、前記形状に対応した形状であってもよい。
【００１７】
また、前記導電部上に載置されている前記電極部が、球状であり、前記基部には、球状の前記電極部を収容するための収容穴が設けられ、前記第１絶縁部は、平面視円環状であってもよい。
【００１８】
また、前記正電極部及び前記負電極部の一方又は双方がリブ状であり、前記第１絶縁部は、リブ形状の間に設置されてもよい。
【００１９】
また、前記微弱電流器具は、複数の前記作用部を含んでもよい。
【発明の効果】
【００２０】
本発明によれば、簡単な構造と通常の材料による電極構造を提供し、治療・美容効果が得られやすく、使い勝手のよい微弱電流器具を提供することができる。
【図面の簡単な説明】
【００２１】
【図１】実施形態１の微弱電流器具を示す斜視図である。
【図２】実施形態１の微弱電流器具の作用部の構成を示す図である。
【図３】実施形態１の微弱電流器具を説明するためのである。
【図４】実施形態１の作用部の他の例を示す図である。
【図５】実施形態１の作用部の他の例を示す図である。
【図６】実施形態１の微弱電流器具の構成を示す図である。
【図７】実施形態１の作用部の他の例を示す図である。
【図８】実施形態２の微弱電流器具を示す斜視図である。
【図９】実施形態２の作用部を説明するための図である。
【図１０】実施形態２の作用部を説明するための図である。
【図１１】実施形態２の作用部を説明するための図である。
【図１２】実施形態２の変形例１の微弱電流器具を示す斜視図である。
【図１３】実施形態２の変形例１の作用部を説明するための図である。
【図１４】実施形態２の変形例１の作用部を説明するための図である。
【図１５】実施形態２の変形例１の作用部を説明するための図である。
【図１６】実施形態２の変形例２の微弱電流器具を示す斜視図である。
【図１７】実施形態２の変形例２の微弱電流器具を説明するための図である。
【図１８】実施形態２の変形例２の作用部を説明するための図である。
【図１９】実施形態３の微弱電流器具を示す斜視図である。
【図２０】実施形態３の作用部を説明するための図である。
【図２１】実施形態４の微弱電流器具を示す斜視図である。
【図２２】実施形態４の作用部を説明するための図である。
【図２３】実施形態４の作用部を説明するための図である。
【図２４】実施形態４の変形例１の作用部を説明するための図である。
【図２５】実施形態５の微弱電流器具を示す斜視図である。
【図２６】実施形態５の作用部を説明するための図である。
【図２７】実施形態５の作用部を説明するための図である。
【図２８】実施形態５の変形例１の作用部を説明するための図である。
【図２９】実施形態５の変形例１の作用部を説明するための図である。
【図３０】実施形態５の変形例２の作用部を説明するための図である。
【図３１】実施形態５の変形例２の作用部を説明するための図である。
【図３２】実施形態５の変形例２の作用部を説明するための図である。
【図３３】本願の微弱電流器具の他の例を説明するための図である。
【図３４】本願の微弱電流器具の他の例を説明するための図である。
【図３５】本願の微弱電流器具の他の例を説明するための図である。
【発明を実施するための形態】
【００２２】
以下に本発明の実施形態の例を、図面を用いて説明する。なお、下記実施形態において共通する構成要素については、前出の符号と同様な符号を付し説明を省略することがある。また、構成要素等の形状、位置関係等に言及する場合は、特に明示した場合及び原理的に明らかにそうでないと考えられる場合等を除き、実質的にその形状等に近似または類似するもの等を含むものとする。
【００２３】
＜実施形態１＞
図１は、本発明の実施形態１による微弱電流器具１の一例を示している。
【００２４】
図１に示すように、微弱電流器具１は、持ち手部２と、作用部３とを有している。持ち手部２は、片手で握りやすい形状であって、全体としては概略Ｌ字形の形状を有している。作用部３は、持ち手部２の先端部に接合している。作用部３は板状の形状を有し、背面で持ち手部２の先端部に固定され、使用時は前面（肌接触面）を肌に押し当てて（接触させて）使用する。作用部３の平面的形状は任意の形状にすることができるが、図１の例では三日月形の形状を有している。三日月形の形状は目の下や頬等に当てるのに好適である。
【００２５】
作用部３は底面（後面）に基部１６を有し、その前面に導電部４を有している。導電部４の上には、正電極部５と負電極部６が設けられている。
【００２６】
導電部４は、導電性を有するシート状のものである。導電部４は導電性を有していればよく、アルミ板を含む金属シート、金属膜や金属シートを含む樹脂シート、金属や炭素粉末などを混入した導電体や導電性繊維を混入させた樹脂シート、金属膜や金属シートを設けたゴム等を用いることができる。また、スポンジのような弾力のある素材でも良い。また、導電部４は、剛性のある板材を用い、基部１６を兼ねるようなものでも良い。また、導電部４は、板でなくてもよく、網状のシートや格子状のシートを含む概念である。
【００２７】
正電極部５と負電極部６は、電位差を有する金属からなり、導電部４に電気的に接合し、互いに離間して配置されている。正電極部５と負電極部６は、それぞれの極性ごとに少なくとも１個あり、全体として少なくとも２個の正電極部５と負電極部６が正負交互に配置されているのが望ましい。正電極部５と負電極部６は、形態としては薄膜でも薄い金属片でもよい。また、正電極部５と負電極部６は、導電部４に蒸着やスパッタリングやメッキによって導電部４上に形成した金属層や金属粒子をバインダーで混ぜたものでもよい。
【００２８】
また、導電部４は必ずしも平面でなくともよく、凸面を構成し、正電極部５と負電極部６をその曲面に沿って配置することにより、両電極部が肌に触れやすくすることができる。また、凸面とすることで局部押圧効果も期待できる。また、導電部４は凹面を構成し、正電極部５と負電極部６をその曲面に沿って配置してもよい。さらに、基部１６が凸面または凹面を構成し、導電部４と正電極部５と負電極部６をその曲面に沿って配置してもよい。
【００２９】
さらに、両電極部の表面を凸または凹形状としたり、凸状のパターン模様をつけたりすることで肌面に対する刺激の変化を与えることができる。さらに、大きな凸部の表面に小さな凸部を設けることで、肌の凸凹に対する細かな密着を高めることができる。
【００３０】
凸面の高さは毛穴や肌を考慮し０．２ｍｍから５ｍｍとし、好ましくは０．３ｍｍから３ｍｍとする。
【００３１】
また、凸面表面に凸面を設けるときの大きさは毛穴などを考慮し０．２ｍｍから３ｍｍの範囲、好ましくは０．３ｍｍから２ｍｍとする。
【００３２】
正電極部５と負電極部６の間には、絶縁部７が設けられている。絶縁部７は、正電極部５と負電極部６の間の導電部４の露出部を覆っている。絶縁部７は、絶縁体（材）からなり、シート状のものやテープ状のものを用いることができ、塗料のようにして形成した膜や層のようなものでもよい。絶縁部７について、図２を用いてさらに詳しく説明する。
【００３３】
図２（ａ）は微弱電流器具１の作用部３の横断面を示している。図２（ｂ）、図２（ｃ）は、図２（ａ）の部分拡大図である。
【００３４】
図２（ａ）に示すように、作用部３は、底面に基部１６を有し、その上に導電部４を有し、さらにその上に正電極部５と負電極部６を設けている。正電極部５と負電極部６は、正負交互に、互いに離間して配置されている。絶縁部７は、正電極部５と負電極部６の間の導電部４の露出部を覆っている。例えば、覆う幅ｄ３，ｄ１は、１ｍｍから１０ｍｍ、好ましくは２ｍｍ〜８ｍｍである。さらに、正電極部５を構成する箔と負電極部６を構成する箔の対向する縁部の各箔の内側の所定位置まで延在している。絶縁部７が正電極部５と負電極部６の縁部に重なることにより、正負電極部５，６と導電部４の間に短絡的な電流が流れることを防止することができる。
【００３５】
重なり部分の幅ｄ４，ｄ２は、例えば、０．５ｍｍ〜１０ｍｍ、好ましくは、１ｍｍ〜５ｍｍである。
【００３６】
絶縁部７は、第１絶縁部７１０とこれとは異なる第２絶縁部７２０とを含み、第２絶縁部７２０が肌接触面の縁部に位置し、第１絶縁部７１０が肌接触面の縁部以外の位置に位置する。図２（ｂ）に示すように、第１絶縁部７１０は、正電極部５の縁部を上から覆う第１被覆部７１１と、負電極部６の縁部を上から覆う第２被覆部７１２と、正電極部５と負電極部６との間の導電部４の露出部を上から覆う第３被覆部７１３とを含む。第１被覆部７１１及び第２被覆部７１２の幅が上記幅ｄ４、第３被覆部７１３の幅がｄ３である。ここでは、第３被覆部７１３は、正電極部５と負電極部６との間の導電部４の露出部全体を上から覆っている。
【００３７】
図２（ｃ）に示すように、第２絶縁部７２０は、正電極部又は負電極部の縁部を上から覆う第１被覆部７２１と導電部４の露出部を上から覆う第２被覆部７２２と、を含む。第１被覆部７２１の幅が上記幅ｄ２、第２被覆部７２２の幅がｄ１である。ここでは、第２被覆部７２２は、肌接触面の縁部における導電部４の露出部全体を上から覆っている。
【００３８】
図２（ａ）に示すように、正電極部５と負電極部６は、電位差を有しているため、皮膚に当てると、電池回路を形成する。すなわち、負電極部６から正イオンが電離し、電子が正電極部５に移動し、正電極部５と負電極部６に電位差が生じる。この電位差によって、皮膚に微弱な電流が流れる。この微弱電流は、小さな電流であるため、皮膚の表面の組織を損傷させずに皮膚の真皮層に入り、人間の細胞組織のイオン配列を整え、皮膚に対しては美容効果を有し、ツボに働けば人体の生体活動を活性化し、病気の治癒や予防に効果を有する。
【００３９】
これらは、異種金属接触腐食や局部電池とも呼ばれ、正電極部５はカソード部品とも呼ばれ、例えば金（Ａｕ＋）、原子量１９７．２、標準電極電位は＋１．５０ボルト、負電極部６はアノード部品とも呼ばれ、例えば、アルミニウム（Ａｌ＋＋＋）、原子量２６．９７、標準電極電位は−１．３３７ボルト、亜鉛（Ｚｎ＋＋）、原子量６５．３８、標準電極電位は−０．７６２ボルト、となる。導電部４上に形成しやすく、肌に障害のない金属を適宜選択することが有用である。なお、上記は一例であり、アルミニウムのように金属自体が酸化し酸化被膜を形成する場合、標準電極電位で示された電位と異なることもある。また、両電極間の配置間隔や、電極の面積、肌の密着度、及び状態などにより発生する電流の量は異なる。
【００４０】
これらの各電極の表面に小さな凸凹を設けることで、肌との接触を滑らかにしたり、肌との接触を促進したり、均一にする事が出来る。凸凹は、例えばサンドブラスト仕上げの様なものや、筋状や、網状、イボ状などの模様を設けても良い。
【００４１】
正電極部５と負電極部６が完全に絶縁されていることにより、正電極部５と負電極部６と導電部４の間の短絡電流が遮断され、電流の全部が皮膚に流れ、効率的に微弱電流が利用される。正電極部５と負電極部６の電位差によって生じる電流が微弱であるため、効率よく電流が利用されることは重要である。
【００４２】
ここで、上記の電池回路を生成する生体電池について図３を用いて説明する。
【００４３】
生体電池５５とは生体に接触することにより生体との間で電池回路を形成する構成をいい、導電部５６と、正電極部５７と、負電極部５８と、絶縁部５９，５９’とを有している。
【００４４】
導電部５６とは、導電性材料からなり、正電極部５７と負電極部５８の間を電気的に接続するものである。上述したように、導電部５６は、金属シート、金属膜や金属シートを含む樹脂シート、導電体や導電性繊維を混入させた樹脂シート、金属膜や金属シートを設けたゴム等を用いることができる。正電極部５７とは、生体電池５５の中で正電極として働く部分をいう。正電極部５７は、標準電極電位より高い電位を有する金属、導電体等を用いることができる。負電極部５８とは、生体電池５５の中で負電極としては働く部分をいう。負電極部５８は、標準電極電位より低い電位を有する金属、導電体等を用いることができる。絶縁部５９，５９’とは、絶縁性を有するものであればよく、例えば図３（ａ）の絶縁部５９のように絶縁部材からなるものでもよいし、または、図３（ｂ）の絶縁部５９’のように空間からなるものでもよい。ただし、絶縁部５９，５９’は、正電極部５７と負電極部５８を導電部５６以外は互いに分離するように、正電極部５７と負電極部５８の間を絶縁する。また、絶縁部５９，５９’は、正電極部５７と負電極部５８とそれぞれの近傍の導電部５６との間で短絡的に電流が流れないように、正電極部５７と負電極部５８と導電部５６の間を絶縁する。
【００４５】
図３（ｂ）は、絶縁部５９’が空間からなる場合を示している。図３（ｂ）において、正電極部５７と負電極部５８は肌面方向（肌接触面方向）すなわち人体６０の方向に向かって突出しており、これにより、正電極部５７と負電極部５８との間に空間が形成され、この空間が絶縁部５９’になっている。
【００４６】
ここで、正電極部５７は、標準電極電位より高い電位を有する金属、導電体等を用いることができる。負電極部５８とは、標準電極電位より低い電位を有する部分としているが、正電極部５７と負電極部５８間に電位差が発生すれば良いものである。
【００４７】
かかる構成の生体電池５５を生体、たとえば人体６０に接触させると、絶縁部５９，５９’で絶縁されて互いに分離した正電極部５７と負電極部５８が人体６０に接触する。正電極部５７と負電極部５８は、人体６０に接触すると電位差を有しているため、正電極５７から電子ｅ−が、また、負電極５８から正イオン＋が同時に体内に注入される。注入された電子ｅ−は体内のイオンを還元し、また、正イオン＋は体内イオンを酸化する結果、イオン電流６２が発生して体内を流れる。このイオン電流６２が前述したように体内組織を刺激して治癒効果などを発揮すると考えられる。
【００４８】
このように、微弱電流器具１は、体内電流を整える効果や繊維細胞に刺激を与え活性化を促す効果が期待できる。皮膚は体の表面を覆ており、表皮と真皮の厚さは０．６ｍｍから3ｍｍであり、その下に皮下組織、脂肪組織、神経、血管、筋肉、骨や内臓などが存在するとされる。皮膚はバリア機能を有し、皮膚組織は横方向（表皮方向）に電気抵抗が高く、縦方向（皮膚と直角方向）に電気抵抗が低くなる傾向があることから、皮膚に接触させる微弱電流器具の両電極間の最短距離（２ｍｍ〜２５ｍｍ、好ましくは3ｍｍ〜１５ｍｍ）を皮膚の厚さ以上に設けることで、体内の神経や筋肉、血管などにも電流が届きやすくなる。
【００４９】
図４（ａ）、図４（ｂ）は、図１の微弱電流器具１のうち、作用部３の変形例を示している。
【００５０】
図４（ａ）に示すように、作用部３ａは、基部１６の上に導電部４を設け、導電部４の上に負電極部６ａを配置している。負電極部６ａの上にさらに正電極部５ａを設けている。負電極部６ａを構成する箔は好ましくは細長形状を有し、正電極部５ａを構成する箔は負電極部６ａを構成する箔と交差して配置されている。負電極部６ａを構成する箔の縁部と導電部４の接合する部分、および、正電極部５ａを構成する箔の縁部と負電極部６ａを構成する箔の接合する部分は絶縁部７ａによって覆われている（絶縁されている）。絶縁部７ａによって、電極部間の間隔を定めることもできる。
【００５１】
上記電極部の極性は反対でもよい。すなわち、導電部４の上に正電極部５ａを配置し、その上に負電極部６ａを配置してもよい。
【００５２】
正電極部５ａを構成する箔と負電極部６ａを構成する箔の縁部の接合する部分が絶縁されているため、正電極部５ａと負電極部６ａは、肌に接触すると電極部として電位差を生じ、電池回路を形成することができる。既述したように、電池回路による微弱電流が生じ、人体に対して種々の効果を奏することができる。
【００５３】
図４（ｂ）に示すように、正電極部５ａは、導電性の接着剤８ａ（粘着剤等を含む）で貼り付けてもよい。これによって、簡易に製造でき、また、接着剤に電気抵抗を持たせて過電流を防止することもできる。
【００５４】
図５（ａ）は、図１の微弱電流器具１のうち、作用部３の変形例を示している。図５（ｂ）及び図５（ｃ）は、図５（ａ）の部分拡大図である。
【００５５】
本変形例は、導電部４の一部を負電極部６ｂとしたものである。
【００５６】
例えば、導電部４を亜鉛として、正電極部に金を使用し、一方導電部４の亜鉛をそのままを利用して負電極部６ｂとすることができる。導電部４の一部を利用することにより、新たに負電極部６ｂを形成することを不要とすることができる。導電部４には、アルミニウムやチタン等が用いられてもよい。
【００５７】
また、導電部４（負電極部６ｂ）の周辺を絶縁部７ｂで覆う事で周辺からの電流の漏れを防ぐ事で、肌への周辺角の圧力での角からの電流の増大を防止している。
【００５８】
図５（ｂ）に示すように、第１絶縁部７１０ｂは、正電極部５ｂの縁部を上から覆う第１被覆部７１１ｂと、導電部４（負電極部６ｂ）の正電極部５ｂとの隣接部を上から覆う第２被覆部７１２ｂとを含む。また、図５（ｃ）に示すように、第２絶縁部７２０ｂは、導電部４（負電極部６ｂ）の縁部を上から覆う第１被覆部７２１ｂと基部１６の縁部を上から覆う第２被覆部７２２ｂと、を含む。
【００５９】
また、正電極部５ｂを例えば、銀（Ａｇ＋）原子量１０７．８８、標準電極電位は＋０．７９９ボルトや、銅（Ｃｕ＋＋）原子量６３．５４、標準電極電位＋０．３４５ボルトを電極部として構成することで、正電極部を導電部４で賄うことで新たに正電極部５ｂを形成することを不要とすることもできる。
【００６０】
なお、これらの各部位の金属に適度に他の金属を混ぜ、合金とすることで、正負電極部間の電位差を調整する事が出来る。例えば歯科材料として金パラジウム合金（金１２％、銀４６％、パラジウム２０％、銅２０％、その他）などがある。これらの合金の割合を変える事で電位差を変更しても良い。
【００６１】
図６は、本発明実施形態１による微弱電流器具の作用部を分解して示している。
【００６２】
図６の作用部は、基部１６に対して作用部分ａを付け替え可能にしたものである。作用部分ａは、例えば図２、図４や図５のような導電部と正負の電極部と絶縁部を薄く形成した電極シート９を有している。電極シート９の肌接触面（電極部が露出している面）には保湿シート１０が設けられている。保湿シート１０のさらに上面には剥離紙１１が設けられている。
【００６３】
電極シート９の電極面と反対側の面には接着剤層１２を介して緩衝材１３が設けられている。緩衝材１３の下側には接着剤層１４が設けられている。接着剤層１４のさらに下側には剥離紙１５が設けられている。作用部分ａは剥離紙１１，１５を有することにより、取替用の部品として便利に保管・販売等することができる。また、剥離紙１５により、基部１６に対して作用部分ａを着脱可能に装着することができる。装着するときは、剥離紙１５を剥がし、接着剤層１４を介して基部１６に取り付けることができる。
【００６４】
使用するときは、剥離紙１１を剥がし、保湿シート１０を介して電極シート９を肌に当てるようにする。保湿シート１０は導電性を有し、肌に密着し、電極シート９の微弱電流を肌に伝えることができる。これにより、既述したような効果を奏することができる。
【００６５】
図７は、実施形態１の他の例による作用部３ｃの正面（肌接触面）を示している。
【００６６】
作用部３ｃは、図示しない導電板の上に細長形状の正電極部５ｃを構成する箔と負電極部６ｃを構成する箔を有している。正電極部５ｃと負電極部６ｃは、極性ごとに少なくとも１個の電極部を有し、全体として少なくとも２個の電極部が、正負交互にほぼ平行に配置されている。
【００６７】
正電極部５ｃと負電極部６ｃの上には絶縁部７ｃが配置され、絶縁部７ｃは開口部１７を有している。開口部１７は、正電極部５ｃを構成する箔および負電極部６ｃを構成する箔と直交する方向に列状に配列され、正電極部５ｃと負電極部６ｃに直交する方向に見て、開口部１７を介して正電極露出部１８と負電極露出部１９が交互に露出するようになっている。
【００６８】
なお、別の方法で、正電極露出部１８と負電極露出部１９を形成してもよい。すなわち、正電極部５ｃと負電極部６ｃの間の部分を細長形状のシート状の絶縁部７ｃでシールし、さらに、正電極部５ｃを構成する箔と負電極部６ｃを構成する箔に直交するように、細長形状のシート状の絶縁部７ｃを貼ることにより、格子状に正電極露出部１８と負電極露出部１９を形成してもよい。
【００６９】
各電極露出部の形状は、ここでは四角としているが、円や楕円、長方形、多角形などでも良い。また、形状は平面でなく球面状などの凸面を形成しても良い。さらには凸面がパターンを示すものでも良い。
【００７０】
＜実施形態２＞
図８は、実施形態２による微弱電流器具１ｄの一例を示している。図９〜図１１は作用部３ｄを説明するための図である。微弱電流器具１ｄは、持ち手部２ｄと、作用部３ｄとを有している。
【００７１】
持ち手部２ｄは、手で握る部分である握り部２１０ｄと、作用部３ｄを保持する部分である保持部２２０ｄとを含む。図示の持ち手部２ｄは、握り部２１０ｄと保持部２２０ｄとが所定角度をなして、全体として略Ｌ字形状である。ここでは、握り部２１０ｄの全体方向で使用者の把持方向であるＹと、保持部２２０ｄが延びる方向である保持方向Ｘは、略垂直である。保持部２２０ｄは、先端に保持軸２２１ｄが設けられる。作用部３ｄは、この保持軸２２１ｄに回転可能に接続される。
【００７２】
作用部３ｄの基部１６ｄは、一例として、図示のように、円柱状である。基部１６ｄは円柱形状の中心を貫通する保持孔１６１ｄを有し、保持孔１６１ｄに保持軸２２１ｄが嵌入されて、基部１６ｄないし作用部３ｄが持ち手部２ｄに接続される。
【００７３】
作用部３ｄは、保持軸２２１ｄに着脱可能な止め具３１０ｄを備えてもよい。作用部３ｄを保持軸２２１ｄに接続した後、止め具３１０ｄを保持軸２２１ｄの先端に取り付けることで、作用部３ｄが保持軸２２１ｄから外れることを防止できる。
【００７４】
作用部３ｄは、基部１６ｄの外周上の表面（外周面）に設けられる正電極部５ｄと、負電極部６ｄと、絶縁部７ｄとを含み、負電極部６ｄが導電部を兼ねている。なお、以下の各実施形態ないしその変形例では、負電極部が導電部を兼ねる例を説明するが、正電極部が導電部を兼ねるように構成されてもよい。
【００７５】
一例として、正電極部５ｄ、負電極部６ｄ及び絶縁部７ｄのそれぞれが、帯状に基部１６ｄの外周を囲うように設けられる。なお、ここでは、負電極部６ｄが外周面の略中央に帯状に１つ設けられ、その略中央に正電極部５ｄが１つ重ねられる例が図示されているが、正電極部５ｄの数は、負電極部６ｄのＸ方向の幅などを考慮して適宜な数としてもよい。また、負電極部６ｄは複数でもよく、この場合、正電極部５ｄは同数あり、負電極部６ｄそれぞれの略中央に重ねられる。
【００７６】
図９を用いて作用部３ｄの形成過程の一例を説明する。まずは、図９（ａ）の基部１６ｄに、亜鉛板（箔等）を貼り付けることで、図９（ｂ）の負電極部（層）６ｄが形成される。次に、図９（ｂ）の負電極部６ｄ上に、金（又は銀、白金、白金ロジウム等）の箔等を貼り付けることで図９（ｃ）の正電極部５ｄが形成される。最後に、図９（ｃ）の正電極部５ｄと負電極部６ｄとの境３０１ｄ、及び負電極部６ｄと基部との境３０２ｄを、上から覆うように絶縁体（絶縁膜等）を貼り付けることで、図９（ｄ）の絶縁部７ｄが形成される。絶縁部７ｄが設けられることで、境３０１ｄ及び境３０２ｄが直接肌に接触しないようになる。
【００７７】
負電極部５ｄは、基部１６ｄの外周面の一部または全体に、メッキを施すことで形成されてもよい。また、正電極部６ｄは、負電極部５ｄ上にメッキを施すことで形成されてもよい。また、絶縁部７ｄは、印刷されて形成されて塗布されてもよい。
【００７８】
ここでは、絶縁部７ｄの幅を調整することで、両電極部間の間隔を調整できる。例えば、微弱電流器具を顔に接触させて使用する場合、顔は皮膚が薄く、皮下組織は薄くない部位であるため、両電極部間の最短距離を皮膚の厚さ以上に設けることで（例えば１ｍｍ〜１３ｍｍ、好ましくは２ｍｍ〜８ｍｍ）、皮膚や体内の神経、筋肉、血管等に充分に電流が届けられるようになる。
【００７９】
図１０は、負電極部６ｄが貼付け等で形成された場合の作用部３ｄの一例を示す横断面図である。第１絶縁部７１０ｄは、境３０１ｄを跨って、正電極部５ｄの縁部を上から覆う第１被覆部７１１ｄと、導電部である負電極部６ｄの、境ないし正電極部５ｄの縁部に隣接する部分である隣接部を上から覆う第３被覆部７１３ｄと、を含む。負電極部６ｄが下層（下方）で、正電極部５ｄが上層（上方）であるため、第１被覆部７１１ｄは上層の縁部を上から覆う部分であり、第３被覆部７１３ｄは下層の隣接部を上から覆う部分であるとも言える。図示のように、第１絶縁部７１０ｄは断面視階段状である。
【００８０】
第２絶縁部７２０ｄは、境３０２ｄを跨って、負電極部６ｄの縁部を上から覆う第１被覆部７２１ｄと、基部１６ｄを上から覆う第２被覆部７２２ｄと、を含む。基部１６ｄが下層（下方）で、負電極部６ｄが上層（上方）であるため、第１被覆部７２１ｄは上層を上から覆う部分で、第２被覆部７２２ｄは下層を上から覆う部分であるとも言える。図示のように、絶縁部７２０ｄは階段状である。
【００８１】
第１絶縁部７１０ｄの第１被覆部７１１ｄの幅ｄ４と、第２絶縁部７２０ｄの第１被覆部７２１ｄの幅ｄ２とは、同じ幅でもよいし、異なる幅でもよい。また、第１絶縁部７１０ｄの第３被覆部７１３ｄの幅ｄ３と、第２絶縁部７２０ｄの第２被覆部７２２ｄの幅ｄ１とは、同じ幅でもよいし、異なる幅でもよい。幅ｄ４、ｄ２は、例えば、０．５ｍｍ〜１０ｍｍで、幅ｄ３、ｄ１は、０．５ｍｍ〜１０ｍｍである。
【００８２】
図１１は、負電極部６ｄがメッキを施すことで形成された場合の作用部３ｄの一例を示す横断面図である。図示のように、基部１６ｄの外周面全体にメッキが施された場合、外周面において負電極部６ｄと基部１６ｄとの境３０２ｄが存在しないため、第２絶縁部７２０ｄを設ける必要はない。第１絶縁部７１０ｄは、上記と同様であるため、ここでは説明を省略する。
【００８３】
微弱電流器具１ｄは、円柱状の基部１６ｄを回転可能にし、それに作用部分を設けることで、作用部を回転可能に構成している。微弱電流器具１ｄは、転がすことで、人体の広い範囲にスムーズに接触できる。また、マッサージ効果も得られる。
【００８４】
なお、上記では、負電極部６ｄが導電部を兼ねている例を説明したが、負電極部は、導電部と別途設けてもよい。この場合、基部上に導電部が配置され、導電部上に負電極部及び正電極部が配置されることになる。そのため、第１絶縁部は、導電部と負電極部との堺及び導電部と正電極部との堺の両方を覆うように設置される。基部と導電部との堺を覆う第２絶縁部が設けられてもよい。
【００８５】
＜実施形態２の変形例１＞
図１２は、実施形態２の変形例１による微弱電流器具１ｅの一例を示している。図１３〜図１５は、作用部３ｅを説明するための図である。微弱電流器具１ｅは、持ち手部２ｅと、作用部３ｅとを有している。
【００８６】
持ち手部２ｅは、全体として略Ｙ字形状である。保持部２２０ｅは、握り部２１０ｅの先端から枝分かれして延びる２つの保持腕２３０ｅを含む。図示しないが、２つの保持腕２３０ｅの先端には、相手方向に向かって延びる保持軸がそれぞれ設けられる。握り部２１０ｅの把持方向と、保持軸が延びる方向である保持方向は、略垂直に交差する。作用部３ｅは、２つの保持腕２３０ｅに回転可能に接続される。
【００８７】
作用部３ｅの基部１６ｅは、一例として、図示のように、略紡錘形状である。基部１６ｅは、紡錘形状の中心を貫通する保持孔を有し、２つの保持軸がこの保持孔に嵌入されて、基部１６ｅないし作用部３ｅが持ち手部２ｄに接続される。作用部３ｅは、２つの止め具３１０ｅを備えてもよい。止め具３１０ｅによって、基部１６ｅの両端を支えることで、保持軸との接続が容易になり、強固になる。さらに、安定して力を入れることができ、平均的に圧力をかけることができる。
【００８８】
作用部３ｅは、さらに、正電極部５ｅと、負電極部６ｅと、絶縁部７ｅとを含み、負電極部６ｅが導電部を兼ねている。作用部の形成過程は、上記と同様であり、ここでは、説明を省略する。
【００８９】
図１３は、作用部３ｅの一例を示す横断面図である。第１絶縁部７１０ｅは、上記絶縁部７１０ｄと同様であるため、ここでは、説明を省略する。
【００９０】
図１４（ａ）、図１４（ｂ）は、作用部３ｅの他の例を示す横断面図である。図１４（ａ）に示すように、基部１６ｅには、正電極部及び絶縁部の設置方向と平行に外周面から突出するリブ１６２ｅが設けられてもよい。言い換えれば、リブ１６２ｅは、基部１６ｅの外周面に、周方向に延びるように凸設される。負電極部６ｅは、基部１６ｅの外周面にメッキなどで設けられるため、負電極部６ｅがリブ１６２ｅの表面を覆っている。言い換えれば、負電極部６ｅは、凸状の部分によって区画されている。正電極部５ｅは、リブ１６２ｅによって区画された領域内、ここではリブ形状の間に設置される。そのため、正電極部５ｅと負電極部６ｅとの境３０１ｅも、この区画された領域内に位置し、第１絶縁部７１０ｅも、同領域内に設置される。なお、リブ形状は基部ではなく、負電極部６ｅ自体に設けられてもよい。例えば、負電極部６ｅにチタン部材やステンレス部材等の金属部材が用いられ、これらの金属部材にリブ形状を設けてもよい。
【００９１】
図１４（ｂ）に示すように、正電極部５ｅもリブ状に形成されてもよい。また、基部１６ｅに、リブ１６２ｅより低いリブ１６５ｅを設けて、正電極部５ｅをリブ１６５ｅ上の負電極部分に重ねることで、正電極部５ｅの基部１６ｅからの突出高さを負電極部６ｅより低くしてもよい。この場合、第１絶縁部７１０ｅは、例えば、正電極部５ｅのリブ形状の縁部を覆う部分と、リブ１６２ｅのふもとまでの負電極部分を覆う部分とを含んで、両リブ形状の間に設置されてもよい。
【００９２】
なお、ここでは、リブ形状は、基部に凸設してもよいし、負電極部に用いられる金属部材を、リブ形状以外を凹ませて図示の大きいリブと小さいリブが交互に現れる形状に形成してもよい。
【００９３】
図１５は、作用部３ｅの他の例を示す横断面図である。図示のように、正電極部５ｅは、断面において中央部分がドーム状、イボ状に突出するように形成されてもよい。言い換えれば、正電極部５ｅは、中央部分が突出してリブ状であり、周方向に延びているように形成されてもよい。
【００９４】
なお、作用部３ｅは、導電部が負電極部とは独立して形成され、負電極部も正電極部と同様にリブ状であってもよい。また、リブの中央部分の断面形状は平面視四角状や三角状などの形状であってもよい。
【００９５】
＜実施形態２の変形例２＞
図１６は、実施形態２の変形例２による微弱電流器具１ｆの一例を示している。図１７は他の例を説明するための図、図１８はその作用部３ｆの例を説明するための図である。微弱電流器具１ｆは、持ち手部２ｄと、複数の作用部３ｆと、隔離具３２０ｆとを有している。なお、微弱電流器具１ｆは、持ち手部２ｄと、１つの作用部３ｆのみから構成されてもよい。
【００９６】
作用部３ｆの基部１６ｆは、略円盤状である。基部１６ｆは、円盤形状の中心を貫通する保持孔１６１ｆを有し、この保持孔１６１ｆに保持軸２２１ｆが挿通されて、基部１６ｆないし作用部３ｆが持ち手部２ｄに接続される。
【００９７】
作用部３ｆは、正電極部５ｆと、負電極部６ｆと、絶縁部７ｆとを含み、負電極部６ｆが導電部を兼ねている。一例として、負電極部６ｆが基部１６ｆを周方向に一周して囲うようにループ状に設けられ、その上に正電極部５ｆが重ねられる。正電極部５ｆは、周方向と垂直に設けられ、基部１６ｆの外周面ないし負電極部６ｆを横切るように設けられる。
【００９８】
絶縁部７ｆは、正電極部５ｆが負電極部６ｆの上にこれを横切るように重ねられたことによって生じる境３０１ｆを上から覆うように設けられる。絶縁部７ｆは、正電極部５ｆの縁部を覆う第１被覆部と、導電部である負電極部６ｆの隣接部を覆う第３被覆部と、を含んで、負電極部６ｆを横切るように設けられる。
【００９９】
これによって、作用部３ｆは、肌接触面である外周面において、正、負電極部及び絶縁部が周方向に垂直な（円盤状の厚みに沿う）帯状に分布される。
【０１００】
作用部３ｆには、設置溝が設けられてもよい。図１７及び図１８は微弱電流器具１ｆに設置溝が設けられる例を説明するための図で、図１７では電極部等が省略され、図１８で電極部等が示されている。
【０１０１】
図示のように、設置溝１６３ｆは、基部１６ｆの外周面に凹設される。設置溝１６３ｆは、基部１６ｆの外周面を周方向に垂直に横断するように設けられる。言い換えれば、設置溝１６３ｆは、外周面を円盤形状の厚み方向に横切るように設けられる。後述のように、設置溝１６３ｆを設けることで、正電極部や負電極部、絶縁部の設置位置を区画しやすくなり、加工しやすくなる。また、設置溝１６３ｆによって段差が生じるため、マッサージ効果が高められる。
【０１０２】
図１８を用いて作用部３ｅの形成過程の一例を説明する。まずは、図１８（ａ）の基部１６ｆに、亜鉛のメッキ、スパッタリング、蒸着、貼り付けなどを施すことで、負電極部（層）６ｆが形成される。ここでは、基部１６ｆに設置溝１６３ｆが設けられているため、負電極部６ｆは、溝部分と溝部分の間の高台部分を含む形状となる。
【０１０３】
次に、図１８（ｂ）の負電極部６ｅの所定の高台部分に、金（又は銀、白金、白金ロジウム等）を、マスキング、メッキ、スパッタリング、蒸着、貼り付けなどすることで、正電極部５ｆが形成される。正電極部５ｆは、全ての高台部分ではなく、例えば、１つ置きに設けられる。また、正電極部５ｆは、両端部が高台部分上に位置するように設けてもよいし、図示のように、溝部分にかかるように設けてもよい。
【０１０４】
次に、図１８（ｃ）の正電極部５ｆの縁部と、負電極部６ｆの溝部分内に絶縁体（絶縁膜、絶縁層等）を貼り付けることで、第１絶縁部７１０ｆが形成される。第１絶縁部７１０ｆは、正電極部４ｆの端部を上から覆う第１被覆部７１１ｆと、導電部でもある負電極部の隣接部である溝部分を上から覆う第３被覆部７１３ｆと、を含んで、図示のように、例えば、断面視Ｖ字形状に設けられる。
【０１０５】
微弱電流器具１ｆは、一の作用部３ｆを保持軸２２１ｆに挿通させて接続した後、隔離具３２０ｆを嵌めてから、他の作用部３ｆを挿通させて接続し、さらに、止め部３１０ｆを保持軸２２１ｆの先端に螺合させて、完成する。なお、３つ以上の作用部３ｆを含んで、２つ以上の隔離具３２０ｆで隔離して構成されてもよい。
【０１０６】
微弱電流器具１ｆは、複数の作用部３ｆを設けることで、所定距離をおいて、人体の複数の部分に同時に接触して作用することができる。また、隔離具を用いることで、作用部３ｆの間隔を容易に調整できる。複数の作用部３ｆは、軸方向の幅が異なるものでもよい。また、複数の隔離具３２０ｆは、軸方向の幅が異なるものでもよい。微弱電流器具１ｆは、作用部３ｆの回転により正電極部と負電極部がかわりがわり皮膚表面に当たることで、電流の当たる位置と、電流の流れる方向が変化する。これにより、肌により変化のある刺激を与えることが可能である。
【０１０７】
＜実施形態３＞
図１９は、実施形態３による微弱電流器具１ｇの一例を示している。図２０は、作用部３ｇを説明するための図である。微弱電流器具１ｇは、持ち手部２ｇと、作用部３ｇとを有している。持ち手部２ｇは、保持軸２２１ｇが導電部４ｇを兼ねる点を除き、上記持ち手部２ｄと同様である。保持軸２２１ｇの少なくとも一部は導電部４ｇを兼ねている。
【０１０８】
作用部３ｇは、正電極部５ｇ、負電極部６ｇ、絶縁部７ｇ及び電極部４ｇ（保持軸２２１ｇ）を含んで構成される。正電極部５ｇ、負電極部６ｇ及び絶縁部７ｇは、それぞれが略円盤状に構成され、円盤形状の中心に保持孔５０１ｇ、６０１ｇ及び７０１ｇがそれぞれ設けられて、保持軸２２１ｇに挿通される。これによって、作用部３ｇは、回転可能になる。
【０１０９】
正電極部５ｇ及び負電極部６ｇは、円盤状の部材に所定の金属メッキを施すこと等で構成される。正電極部５ｇ及び負電極部６ｇは交互に配置され、更に両者の間には絶縁部７ｇが挟まれる。作用部３ｇの肌接触面は、この正電極部５ｇ、負電極部６ｇ及び絶縁部７ｇの外周面によって構成される。
【０１１０】
図２０は、作用部３ｇの人体との接触面である肌接触面を説明するための図である。図示のように、絶縁部７ｇの第１絶縁部７１０ｇは、第１被覆部７１１ｇと、第２被覆部７１２ｇと、第３被覆部７１３ｇとを含む。第３被覆部７１３ｇは円盤状の本体部分である。第１被覆部７１１ｇ及び第２被覆部７１２ｇは、周縁部分が厚み方向に延出してなる部分である。第１被覆部７１１ｇ及び第２被覆部７１２ｇは、隣接する正電極部５ｇ及び負電極部６ｇの周縁部をそれぞれ上から覆う。正電極部５ｇ及び負電極部６ｇは、周縁部がＣ面取りされてそれぞれ面取り部５０２ｇ、６０２ｇを含んでもよい。この場合、第１被覆部７１１ｇ及び第２被覆部７１２ｇは、断面視において面取り部５０２ｇ及び６０２ｇと対応した三角形状に形成される。
【０１１１】
微弱電流器具１ｇにおいても、肌接触面において、正電極部５ｇと導電部４ｇとの境３０１ｇ、負電極部６ｆと導電部４ｇとの境３０１ｇは、第１絶縁部７１０ｇによって覆われている。
【０１１２】
微弱電流器具１ｇは、共通の基部を含めず、正電極部５ｇ、負電極部６ｇ及び絶縁部７ｇが独立して形成されるため、取替えや調整を個別に行える。また、保持軸２２１ｇを導電部として構成することで、構造を簡略化できる。
【０１１３】
＜実施形態４＞
図２１は実施形態４による微弱電流器具１ｈの一例を示している。図２２〜図２３は、作用部３ｈを説明するための図である。微弱電流器具１ｈは、持ち手部２ｅと、作用部３ｈとを有している。
【０１１４】
作用部３ｈの基部は、上記基部１６ｅと同様であるため、ここでは説明を省略する。
【０１１５】
作用部３ｈは、正電極部５ｈと、負電極部６ｈと、絶縁部７ｈとを含む。図示のように、正電極部５ｈは、平面視円形状（又は楕円形状）であり、導電部でもある負電極部６ｈ上に所定間隔で設置される。正電極部５ｈと負電極部６ｈとの境３０１ｈは、ここでは円形状（又は楕円形状）であり、境３０１ｈを覆う第１絶縁部７１０ｈは、環状である。第１絶縁部７１０ｈは、正電極部５ｈの縁部（周縁部）を覆う第１被覆部７１１ｈと、導電部でもある負電極部６ｅの隣接部を覆う第３被覆部７１３ｈと、を含む。
【０１１６】
絶縁部７ｈは、正電極部５ｈに輪状に凹みを形成し、ゴム材やプラスチック材を嵌め込んだり、塗料などやエポキシ剤などで周辺の負電極部を覆ったりして固定しても良い。
【０１１７】
なお、図示の正電極部５ｈは、負電極部６ｈ上にリング状に列を並んで設置されているが、ランダムに設定されてもよい。また、正電極部５ｈは、平面視矩形や三角形、多角形の形状であってもよい。この場合、絶縁部７ｈも、これらの形状を囲う枠のように、同様な形状を有して形成される。
【０１１８】
また、正電極部５ｈは、中央部分が凸出してもよく、例えば、図２３に示すドーム状に形成されてもよい。また、導電部でもある正電極部上に、平面視円形状の負電極部が所定間隔で設置されてもよい。
【０１１９】
＜実施形態４の変形例１＞
図２４は、実施形態４の変形例１を示すもので、作用部３ｉが異なる例を示している。
【０１２０】
作用部３ｉは、導電部と、導電部上に設置される正電極部５ｉ及び負電極部６ｉと、絶縁部７ｉとを含む。ここでは、正電極部５ｉだけでなく、負電極部６ｉも円形状（楕円形状）であり、これらは所定の間隔で、導電部上に設置される。絶縁部７ｉの第１絶縁部７１０ｉは、正電極部５ｉの縁部を上から覆う第１被覆部７１１ｉと、負電極部６ｉの縁部を上から覆っている第２被覆部７１２ｉと、正電極部５ｉと負電極部６ｉとの間の導電部を上から覆う第３被覆部７１３ｉとを含む。
【０１２１】
図２４のように、絶縁部７ｉは、第３被覆部７１３ｉが連なっている。言い換えれば、絶縁部７ｉは、正電極部５ｉ及び負電極部６ｉの中央部分を露出させるための開口部１７ｉを有する１つの面状のものとして形成される。なお、正電極部５ｉ及び負電極部６ｉは、紡錘形状の周方向に沿って設置される所定長さのリブ状のものであってもよい。この場合、開口部１７ｉは細長いスリット状に形成される。
【０１２２】
なお、図３３のように、正電極部５ｉ及び負電極部６ｉは、平面視矩形や三角形、多角形の形状であってもよい。この場合、絶縁部７ｉの開口部１７ｉも、これらの形状の中央部分を露出させるように、同様な形状を有して形成される。
【０１２３】
＜実施形態５＞
図２５は、実施形態５による微弱電流器具１ｊの一例を示している。図２６〜図２７は、作用部３ｊを説明するための図で、図２６は作用部３ｊの肌接触面の一部を示す図、図２７は横断面の一部を示す図である。微弱電流器具１ｊは、持ち手部２ｅと、作用部３ｊとを有している。
【０１２４】
作用部３ｊの基部１６ｊは、一例として図示のように略紡錘形状であり、持ち手部２ｅに回転可能に保持される。基部１６ｊは、外周面に収容穴１６４ｊを複数有する。収容穴１６４ｊには、後述の球状の正電極部５ｊ及び負電極部６ｊが収容される。収容穴１６４ｊは、所定の深さを有する有底穴であり、好ましくは、平面視円形である。収容穴１６４ｊは、直径が正電極部５ｊの直径より大きく、深さが正電極部５ｊの直径より小さい。
【０１２５】
作用部３ｊは、導電部４ｊと、正電極部５ｊと、負電極部６ｊと、絶縁部７ｊとを含み、基部１６ｊの表面、ここでは外周面を覆うように設けられる。導電部４ｊは、最も下方に配置される。導電部４ｊは、図示のように、基部１６ｊの外周面を覆うように所定金属のメッキ等を施すことで形成されてもよいし、基部１６ｊが所定金属で形成されることで基部１６ｊが導電部４ｊを兼ねてもよい。
【０１２６】
図示のように、正電極部５ｊ及び負電極部６ｊは、球状であり、収容穴１６４ｊに収容される。以下では、正電極部５ｊを例に説明する。収容穴１６４ｊは、導電部４ｊに覆われている状態でも、なお、正電極部５ｊより直径がやや大きい。そのため、正電極部５ｊの周囲には収容穴１６４ｊとの間で環状の隙間が形成され、肌接触面に向けて導電部との間の堺３０１ｊが形成される。また、正電極部５ｊは、直径が収容穴１６４ｊの深さより大きいため、一部が収容穴１６４ｊから露出して、肌接触面において凸部を形成する。正電極部５ｊ及び負電極部６ｊは、図２６に示すように、基部の周方向に交互に並んで２列設けられてもよいし、所定距離で対となってランダムに設けられてもよい。
【０１２７】
第１絶縁部７１０ｊは、肌接触面において、正電極部５ｊの収容穴１６４ｊからの露出部の縁部を覆う第１被覆部７１１ｊと、負電極部６ｊの収容穴からの露出部の縁部を覆う第２被覆部７１２ｊと、正電極部５ｊと負電極部６ｊとの間の導電部の露出部を覆う第３被覆部７１３ｊとを含む。言い換えれば、第１絶縁部７１０ｊは、正電極部５ｊと導電部４ｊとの堺３０１ｊ及び負電極部６ｊと導電部４ｊとの堺３０２ｊとを上から覆うように形成され、これらの堺が肌と接触しないようにしている。
【０１２８】
第１被覆部７１１ｊは、正電極部５ｊの外周の所定位置に当接して、これを囲っている。第１被覆部７１１ｊは、正電極部５ｊの収容穴１６４ｊからの露出部の形状に対応した形状であり、ここでは、環状である。第１被覆部７１１ｊは、内径が正電極部５ｊの直径より小さく、断面形状が略三角形又は台形である。第３被覆部７１３ｊが導電部４ｊに固定されているのに対して、第１被覆部７１１ｊは遊離している。第１被覆部７１１ｊは、正電極部５ｊが導電部４ｊとの接続を維持しながら収容穴１６４ｊ内で回転し、収容穴１６４ｊから抜け出さないように保持する。第２被覆部７１２ｊも同様である。
【０１２９】
第１絶縁部７１０ｊは、複数の開口部１７ｊを有する面状であり、基部１６ｊないし導電部４ｊの外周面に沿って配置される。
【０１３０】
なお、基部１６ｊは、回転しない構成でもよく、板状等であってもよい。
【０１３１】
＜実施形態５の変形例１＞
図２８〜図２９は、実施形態５の変形例１による作用部３ｋを示す図で、図２８は肌接触面の一部を示す図、図２９は横断面の一部を示す図である。
【０１３２】
作用部３は、正電極部５ｋと、負電極部６ｋと、絶縁部７ｋとを含み、負電極部６ｋが導電部を兼ねている。負電極部６ｋは、基部１６ｊの全体又はその一部にその外周面を覆うように所定金属のメッキ等を施すことで形成される。収容穴１６４ｊは負電極部６ｋに覆われている。正電極部５ｋは、負電極部６ｋに覆われている収容穴１６４ｊ内に回転可能に収容される。
【０１３３】
絶縁部７ｋの第１絶縁部７１０ｋは、正電極部５ｋの数だけ設けられ、平面視正電極部５ｋの収容穴１６４ｊからの露出部を囲うように環状に設けられる。
【０１３４】
第１絶縁部７１０ｋは、正電極部５ｋの収容穴からの露出部の縁部を覆う第１被覆部７１１ｋと、負電極部６ｋの隣接部を覆う第３被覆部７１３ｋと、収容穴１６４ｊの周壁部の少なくとも一部を覆う第４被覆部７１４ｋとを含む。第１絶縁部７１０ｋは、正電極部５ｋと負電極部６ｋとの堺３０１ｊを上から覆うように形成され、肌と接触しないようにしている。
【０１３５】
第１絶縁部７１０ｋは、断面視略Ｔ字形状である。より具体的には、第１被覆部７１１ｋ及び第３被覆部７１３ｋが基部１６ｊの周面（表面）に沿うように横設部として形成され、第１被覆部７１１ｋと第３被覆部７１３ｋの間の第４被覆部７１４ｋが周面に略垂直に延出して縦設部として形成される。第１絶縁部７１０ｋでは、第３被覆部７１３ｋが基部１６ｊの周面における負電極部６ｋの隣接部に接着等で固接し、第４被覆部７１４ｋが収容穴１６４ｊの周壁部に遊離又は固定状態で当接し、第１被覆部７１１ｋが正電極部５ｋと遊離状態で当接している。第４被覆部７１４ｋによって、正電極部５ｋと収容穴１６４ｋの周壁部との摩擦が回避できる。
【０１３６】
＜実施形態５の変形例２＞
図３０〜図３２は、他の例による作用部３ｍを示す図で、横断面の一部を示す図である。作用部３ｍの基部１６ｍは、板状である。
【０１３７】
作用部３ｍは、導電部４ｍと、正電極部５ｋと、負電極部６ｋと、絶縁部７ｍとを含み、基部１６ｍの表面を覆うように設けられる。
【０１３８】
図３０に示すように、導電部４ｍは、基部を除き、最も下方に配置される。導電部４ｍは、基部１６ｍの表面を覆うように所定金属のメッキ等を施すことで形成されてもよいし、基部１６ｍが全体として所定金属で形成されてもよいし、さらには基部１６ｍが所定金属で形成されて導電部４ｍを兼ねてもよい。導電部４ｍは、肌接触面方向に突出する突起４０１ｍを含む。突起４０１ｍは基部１６ｍ上の突起にメッキ等が施されたものでもよいし、導電部４ｍ自体に設けられた突出部分でもよい。突起４０１ｍは、正電極部５ｋ及び負電極部６ｋを合わせた数分だけ設けられる。
【０１３９】
導電部４ｍは、図３１に示すように、両端が略直角に屈折した棒状であってもよい。この場合、導電部４ｍは、基部１６ｍに設けられた溝に本体部分が配置され、屈折して形成された両端が基部１６ｍから突出して配置されて、突起４０１ｍを構成してもよい。
【０１４０】
導電部４ｍは、図３２に示すように、突起４０１ｍの先端にコイルバネ又は板バネが設けられてもよい。
【０１４１】
作用部３ｍでは、正電極部５ｋ及び負電極部６ｋを収容する収容穴は、第１絶縁部７１０ｍに形成される。第１絶縁部７１０ｍは、肌接触面において正電極部５ｋの縁部を覆う第１被覆部７１１ｍと、負電極部６ｋの縁部を覆う第２被覆部７１２ｍと、正電極部５ｋと負電極部６ｋとの間の導電部の露出部を覆う第３被覆部７１３ｍと、正電極部５ｍを収容するための半穴部である第５被覆部７１５ｍと、負電極部６ｍを収容するための半穴部である第６被覆部７１６ｍとを含む。なお、図３１に図示の例では、第３被覆部７１３ｍは、正電極部５ｋと負電極部６ｋとの間の導電部の露出部と基部の露出部の双方を覆っている。
【０１４２】
正電極部５ｋを収容する収容穴は、隣接する第１絶縁部７１０ｍ同士の第５被覆部７１５ｍによって形成され、負電極部６ｋを収容する収容穴は、隣接する第１絶縁部７１０ｍ同士の第６被覆部７１６ｍによって形成される。以下では、第５被覆部７１５ｍを例に説明する。第５被覆部７１５ｍは、平面視略半円形状で中央に円弧状切欠きを有する所定厚みの半底部と、平面視半円環状の半周壁部とを含み、隣同士の第１絶縁部における半底部同士で正電極部５ｋの底部が構成され、半周壁部同士で周壁部が構成される。突起４０１ｍは隣同士の半底部の円弧状切欠きの間に配置される。第１被覆部７１１ｍは半周壁部の上端に形成され、第３被覆部は隣同士の半底部の間に形成される。これによって、正電極部５ｋ及び負電極部６ｋは、第１絶縁部７１０ｍによって全体が導電部ないし基部から高い位置に持ち上げられ、これらから浮いて配置される。
【０１４３】
作用部３ｍは、球状の正電極部５ｋ及び負電極部６ｋを収容する収容穴が絶縁部に設けられるため、絶縁部以外の部分が簡単な構造となり、低コストで製造できる。また、正電極部５ｋ及び負電極部６ｋを、適切な大きさに取り替えることも容易となる。
【０１４４】
なお、本願では、上記実施形態（例）における構成部分の一部を他の実施形態（例）全部又は一部と組み合わせてもよい。また、図３３に示すように、持ち手部は、ドーム状の握り部に、保持軸を有する複数の柱状の保持腕を含むものでもよい。この場合、作用部は、球状又は楕円球状の基部に上記作用部分が設けられたものでもよい。正、負電極部は、平面視六角形であってもよいし、他の多角形であってもよい。握り部には、指を掛ける挟持部が設けられてもよい。また、図３４に示すように、持ち手部は、握り部が直線棒状で、握り部の延長線上に保持軸が設けられ、この保持軸に基部１６が回転可能に接続されてもよい。また、図３５に示すように、持ち手部は、棒状の握り部に、先端が枝分かれしたＹ字状の保持部が接続され、保持部の２つの枝状の先端に２つの基部１６が互いに所定角度をなして、回転可能に取り付けられてもよい。
【０１４５】
なお、上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１４６】
微弱電流器具：１、１ｄ、１ｅ、１ｆ、１ｇ、１ｈ、１ｉ
持ち手部：２、２ｄ、２ｅ、２ｇ
作用部：３、３ａ、３ｂ、３ｃ、３ｄ、３ｅ、３ｆ、３ｇ、３ｈ、３ｉ、３ｊ、３ｋ、３ｍ
堺：３０１、３０１ｄ、３０１ｅ、３０１ｇ、３０１ｈ、３０１ｊ
導電部：４、５６、４ｇ、４ｊ、４ｍ
正電極部：５、５ａ、５ｂ、５ｃ、５ｄ、５ｅ、５ｆ、５ｇ、５ｈ、５ｉ、５ｊ、５ｋ
負電極部：６、６ａ、６ｂ、６ｃ、６ｄ、６ｅ、６ｆ、６ｇ、６ｈ、６ｉ、６ｊ、６ｋ
絶縁部：７、７ａ、７ｂ、７ｃ、７ｅ、７ｆ、７ｇ、７ｈ、７ｉ、５９、５９’
第１絶縁部：７１０、７１０ｂ、７１０ｄ、７１０ｅ、７１０ｆ、７１０ｇ、７１０ｈ、７１０ｉ、７１０ｊ、７１０ｋ、７１０ｍ
第２絶縁部：７２０、７２０ｂ、７２０ｄ
基部：１６、１６ｄ、１６ｅ、１６ｆ、１６ｊ、１６ｍ
リブ：１６２ｅ
溝：１６３ｆ
収容穴：１６４ｊ
開口部：１７、１７ｉ
【図１】
2020039471.tif 000003
【図２】
2020039471.tif 000004
【図３】
2020039471.tif 000005
【図４】
2020039471.tif 000006
【図５】
2020039471.tif 000007
【図６】
2020039471.tif 000008
【図７】
2020039471.tif 000009
【図８】
2020039471.tif 000010
【図９】
2020039471.tif 000011
【図１０】
2020039471.tif 000012
【図１１】
2020039471.tif 000013
【図１２】
2020039471.tif 000014
【図１３】
2020039471.tif 000015
【図１４】
2020039471.tif 000016
【図１５】
2020039471.tif 000017
【図１６】
2020039471.tif 000018
【図１７】
2020039471.tif 000019
【図１８】
2020039471.tif 000020
【図１９】
2020039471.tif 000021
【図２０】
2020039471.tif 000022
【図２１】
2020039471.tif 000023
【図２２】
2020039471.tif 000024
【図２３】
2020039471.tif 000025
【図２４】
2020039471.tif 000026
【図２５】
2020039471.tif 000027
【図２６】
2020039471.tif 000028
【図２７】
2020039471.tif 000029
【図２８】
2020039471.tif 000030
【図２９】
2020039471.tif 000031
【図３０】
2020039471.tif 000032
【図３１】
2020039471.tif 000033
【図３２】
2020039471.tif 000034
【図３３】
2020039471.tif 000035
【図３４】
2020039471.tif 000036
【図３５】
2020039471.tif 000037
【手続補正書】
【提出日】平成30年10月9日(2018.10.9)
【手続補正１】
【補正対象書類名】図面
【補正対象項目名】図３
【補正方法】変更
【補正の内容】
【図３】
2020039471.tif 000038
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
肌に接触させて使用する作用部を有する微弱電流器具であって、
前記作用部は、
基部と、
金属からなり、互いに電位差を有する正電極部及び負電極部の２つの電極部と、
前記電極部が載置される導電部と、
絶縁材からなる絶縁部と、を含み、
前記電極部、前記導電部及び前記絶縁部は、前記基部の外周に設けられ、
前記絶縁部は、前記導電部上に載置されている前記電極部の縁部を上から覆うと共に、前記電極部の縁部に隣接する前記導電部の隣接部を上から覆っている第１絶縁部を含み、
前記微弱電流器具は、持ち手部を含み、
前記基部は、前記持ち手部に回転可能に接続されている
ことを特徴とする微弱電流器具。
【請求項２】
請求項１に記載の微弱電流器具であって、
前記正電極部及び前記負電極部の一方が、前記導電部を兼ねており、
前記第１絶縁部は、前記導電部を兼ねている一方の前記電極部上に載置されている他方の前記電極部の縁部を上から覆うと共に、一方の前記電極部の隣接部を上から覆っている
ことを特徴とする微弱電流器具。
【請求項３】
請求項１又は２に記載の微弱電流器具であって、
前記絶縁部は、前記第１絶縁部と、絶縁材からなる第２絶縁部とを含み、
前記第２絶縁部が、前記基部の外周の縁部に位置し、
前記第１絶縁部が、前記基部の外周の縁部以外の位置に位置する
ことを特徴とする微弱電流器具。
【請求項４】
請求項１〜３のいずれか一項に記載の微弱電流器具であって、
前記基部は、略円柱状、紡錘状、円盤状又は球状である
ことを特徴とする微弱電流器具。
【請求項５】
請求項１〜４のいずれか一項に記載の微弱電流器具であって、
前記導電部上に載置されている前記電極部が、平面視帯状であり、
前記第１絶縁部が、平面視帯状である
ことを特徴とする微弱電流器具。
【請求項６】
請求項１〜４のいずれか一項に記載の微弱電流器具であって、
前記導電部上に載置されている前記電極部が、平面視略正円、楕円、半円、又は多角形の形状を成しており、
前記第１絶縁部が、前記形状に対応した形状である
ことを特徴とする微弱電流器具。
【請求項７】
請求項１〜４のいずれか一項に記載の微弱電流器具であって、
前記導電部上に載置されている前記電極部が、球状であり、
前記基部には、球状の前記電極部を収容するための収容穴が設けられ、
前記第１絶縁部は、平面視円環状である
ことを特徴とする微弱電流器具。
【請求項８】
請求項１〜４のいずれか一項に記載の微弱電流器具であって、
前記正電極部及び前記負電極部の一方又は双方がリブ状であり、
前記第１絶縁部は、リブ形状の間に設置される
ことを特徴とする微弱電流器具。
【請求項９】
請求項１〜８のいずれか一項に記載の微弱電流器具であって、
前記微弱電流器具は、複数の前記作用部を含む
ことを特徴とする微弱電流器具。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
肌に接触させて使用する作用部を有する微弱電流器具であって、
前記作用部は、
基部と、
金属からなり、互いに電位差を有する正電極部及び負電極部の２つの電極部と、
前記電極部が載置される導電部と、
絶縁材からなる絶縁部と、を含み、
前記電極部、前記導電部及び前記絶縁部は、前記基部の外周に設けられ、
前記絶縁部は、前記導電部上に載置されている前記電極部の縁部を上から覆うと共に、前記電極部の縁部に隣接する前記導電部の隣接部を上から覆っている第１絶縁部を含み、
前記微弱電流器具は、持ち手部を含み、
前記基部は、前記持ち手部に回転可能に接続され、
前記作用部は、前記正電極部及び前記負電極部の一方又は双方を複数有し、前記正電極部及び前記負電極部は前記基部の回転方向において交互に現れるように設けられる
ことを特徴とする微弱電流器具。
【請求項２】
請求項１に記載の微弱電流器具であって、
前記正電極部及び前記負電極部の一方が、前記導電部を兼ねており、
前記第１絶縁部は、前記導電部を兼ねている一方の前記電極部上に載置されている他方の前記電極部の縁部を上から覆うと共に、一方の前記電極部の隣接部を上から覆っている
ことを特徴とする微弱電流器具。
【請求項３】
請求項１又は２に記載の微弱電流器具であって、
前記絶縁部は、前記第１絶縁部と、絶縁材からなる第２絶縁部とを含み、
前記第２絶縁部が、前記基部の外周の縁部に位置し、
前記第１絶縁部が、前記基部の外周の縁部以外の位置に位置する
ことを特徴とする微弱電流器具。
【請求項４】
請求項１〜３のいずれか一項に記載の微弱電流器具であって、
前記基部は、略円柱状、紡錘状、円盤状又は球状である
ことを特徴とする微弱電流器具。
【請求項５】
請求項１〜４のいずれか一項に記載の微弱電流器具であって、
前記導電部上に載置されている前記電極部が、平面視帯状であり、
前記第１絶縁部が、平面視帯状である
ことを特徴とする微弱電流器具。
【請求項６】
請求項１〜４のいずれか一項に記載の微弱電流器具であって、
前記導電部上に載置されている前記電極部が、平面視略正円、楕円、半円、又は多角形の形状を成しており、
前記第１絶縁部が、前記形状に対応した形状である
ことを特徴とする微弱電流器具。
【請求項７】
請求項１〜４のいずれか一項に記載の微弱電流器具であって、
前記導電部上に載置されている前記電極部が、球状であり、
前記基部には、球状の前記電極部を収容するための収容穴が設けられ、
前記第１絶縁部は、平面視円環状である
ことを特徴とする微弱電流器具。
【請求項８】
請求項１〜４のいずれか一項に記載の微弱電流器具であって、
前記正電極部及び前記負電極部の一方又は双方がリブ状であり、
前記第１絶縁部は、リブ形状の間に設置される
ことを特徴とする微弱電流器具。
【請求項９】
請求項１〜８のいずれか一項に記載の微弱電流器具であって、
前記微弱電流器具は、複数の前記作用部を含む
ことを特徴とする微弱電流器具。